(57)【要約】      （修正有）【課題】余計な大型化を防ぎ、冷却手段として使用する機器のメンテナンスの煩雑性を解消した屋外筐体を提供する。【解決手段】電子機器が収納される筐体の冷却機構であり、燃料電池本体が生成する水を冷却水として電子／電気機器が収納されている筐体本体の周面３に沿って流し落とす。さらに燃料電池ボックスからの排出水の水が流れる筐体本体の周面３に光触媒を塗布して、光触媒の超親水性効果により少ない水で効率良く冷却する構成の屋外筐体。【選択図】図３
2006317093.tif 000002
【特許請求の範囲】
【請求項１】
屋外に設置され、筐体本体内部に電子／電気機器を収納する屋外筐体において、
燃料電池と、
該燃料電池で生成した水を冷却水として前記電子機器が収納されている部分の前記筐体本体周面に沿って流出させる冷却機構と
を有することを特徴とする屋外筐体。
【請求項２】
前記燃料電池で生成した水が流れる前記筐体本体周面に光触媒を塗布したことを特徴とする請求項１記載の屋外筐体。
【請求項３】
前記光触媒が塗布された筐体本体周面は、透光性を有する保護板によって間隔を空けて囲繞されていることを特徴とする請求項２記載の屋外筐体。
【請求項４】
前記保護板には、その透光性を確保するように太陽電池パネルが設けられていることを特徴とする請求項３記載の屋外筐体。
【請求項５】
前記電子／電気機器近傍の前記筐体本体内の雰囲気温度、又は前記筐体本体若しくは周辺の温度を検出するための温度センサと、
該温度センサの検出出力に応じて前記冷却機構を制御する冷却制御手段と
を備えていることを特徴とする請求項１〜４いずれかに記載の屋外筐体。
【請求項６】
前記燃料電池で水を生成する際に前記燃料電池が発電した電力を、前記電子／電気機器に対する常用電源若しくはその一部，又は予備若しくは非常用電源として供給するための蓄電回路を備えている
ことを特徴とする請求項１〜５いずれかに記載の屋外筐体。
【発明の詳細な説明】
【技術分野】
【０００１】
本発明は、屋外に設置され、内部に電子／電気機器を収納するための屋外筐体に関する。
【背景技術】
【０００２】
従来、この種の屋外筐体には、筐体内雰囲気の温度上昇を抑制して内部に設けられた電子／電気機器の保護をはかり、又は内部に設けられた電子／電気機器自体の発熱に起因する筐体周辺への放熱を抑制するために、冷却手段が設けられている。
【０００３】
このような冷却手段を備えた屋外筐体としては、例えば、特開平１０−１２２７７３号公報に記載されているように、筐体内にヒートパイプからなる熱交換器を設け、その放熱側をファンにより外部雰囲気を循環させて冷却するファン熱交換方式の屋外筐体や、特開２００４−１３８３５３号公報に記載されているように、筐体内にクーラを設けたクーラ方式の屋外筐体が知られている。
【特許文献１】特開平１０−１２２７７３号公報
【特許文献２】特開２００４−１３８３５３号公報
【発明の開示】
【発明が解決しようとする課題】
【０００４】
しかしながら、上述したファン熱交換方式の屋外筐体の場合は、その冷却性能を維持すためにはファン及びファン近傍に設けられたエアフィルタの定期交換が必要であり、同様にクーラ方式の屋外筐体の場合も、放熱を冷却するファンの定期交換及び圧縮機の定期点検が必要となり、メンテナンスが煩雑であるという問題点があった。
【０００５】
また、いずれの場合も、屋外筐体内に、電子／電気機器の駆動自体には直接関与せず冷却手段としてだけ使用するヒートパイプ，ファン，圧縮機といった機器を収納するスペースを形成しなければならない。特に、上述したファン熱交換方式の場合は、熱交換器のヒートパイプによる排熱部、吸熱部の機械的寸法が大きくなるため、冷却対象の電子／電気機器を収容する屋外筐体は、これら冷却手段としてだけ使用する機器を収容する寸法分だけ余分に大きくなり、屋外筐体の小形化をはかる上で大きな障害となっていた。
【０００６】
本発明は、上述した問題点を鑑みてなされたものであって、冷却手段として使用する機器を収容することによる屋外筐体の余計な大型化を防ぎ、冷却手段として使用する機器のメンテナンスの煩雑性を解消した屋外筐体を提供することを、その目的とする。
【課題を解決するための手段】
【０００７】
本発明は、上記目的を達成するために、屋外に設置され、筐体本体内部に電子／電気機器を収納する屋外筐体において、燃料電池と、燃料電池で生成した水を冷却水として電子機器が収納されている部分の筐体本体周面に沿って流出させる冷却機構とを有することを特徴とする。
【発明の効果】
【０００８】
本発明によれば、小形化をはかる上で障害となっていた、内部に収容されている冷却対象としての電子／電気機器の冷却手段に係り、冷却手段として使用する機器を同じ筐体内に収容することによる屋外筐体の余計な大型化を防ぎ、加えて、冷却手段のメンテナンス性の向上をはかることができる。
【０００９】
また、冷却手段を構成する燃料電池の発生電力を、常用電源又はその一部，予備又は非常用電源として活用できるため、従来の屋外筐体に備えられていた外部供給電源以外の電源設備機器（例えば、非常用エンジン発電機等）の小型化をはかることができ、冷却手段として冷却用の水を生成する手段の燃料電池を設けることによる屋外筐体の大型化を、これら外部供給電源以外の電源設備機器の小型化によって相殺することができるため、屋外筐体の冷却手段による余計な大型化を極力抑制することができる。
【発明を実施するための最良の形態】
【００１０】
本発明による屋外筐体の実施の形態について、以下、図面を参照して説明する。
【００１１】
＜第１の実施の形態＞
図１は、本発明の第１の実施の形態による屋外筐体の正面図である。図２は、図１に示した屋外筐体の側面図である。また、図３は、図１及び図２に示した屋外筐体の平面図である。
【００１２】
本実施の形態の屋外筐体１-１は、通信機器や制御機器等の電子機器や電源機器等の電気機器（以下、これら機器を電子／電気機器５と総称する）が収容可能な収容室（すなわち内部空間）を内部に形成する直方体形状の筐体本体２と、この筐体本体２の周面３（図示の例では、正面パネル３ｆ，背面パネル３ｂ，左側面パネル３ｌ，又は右側面パネル３ｒのそれぞれが該当）に適宜間隔を空けて、筐体本体２の周面３を囲繞するように離間配置された保護板４とを有する構成になっている。
【００１３】
保護板４は、筐体本体２の周面３に対する外部からの接触や損傷を防ぐためのもので、本実施の形態の場合は、透光性を有する薄板強化パネルによって構成され、脚部６を介して筐体本体２の周面３に対して固設されている。
【００１４】
本実施の形態の場合は、各保護板４ｆ，４ｂ，４ｌ，４ｒが、筐体本体２の正面パネル３ｆ，背面パネル３ｂ，左側面パネル３ｌ，及び右側面パネル３ｒにそれぞれに対応して設けられた構成になっており、さらに、筐体本体２の平面（天面パネル３ｔ）にも、天面用の保護板４ｔが脚部６を介して離間配置された構成になっている。なお、これら保護板４ｆ，４ｂ，４ｌ，４ｒ，４ｔは、筐体本体２の設置状態等によって外部からの衝突や接触の恐れがない場合は、筐体本体２の該当面（該当部分）について省略可能である。
【００１５】
このように構成された筐体本体２内の収容室には、図１及び図２中に破線で示すように、前述した冷却対象としての電子／電気機器５が収容されている。本実施の形態の場合、この電子／電気機器５は、通常は商用電源をその駆動電源として駆動される構成になっている。一般に、このような電子／電気機器５には半導体が多用されており、その動作特性は電子／電気機器５を使用する環境温度に対しての依存性が高いものになっている。
【００１６】
ところで、このような屋外筐体１-１においては、その収容室内の電子／電気機器５はその駆動により自身が発熱源にもなる他、その設置場所である屋外では周囲温度や太陽の輻射熱の影響を受けるため、筐体本体２やその内部の収容室の雰囲気温度が上昇する。
【００１７】
この結果、屋外筐体１-１やその収容室の雰囲気温度の上昇は、電子／電気機器５に用いられている半導体の周囲温度の上昇を招くことになり、その多大な温度上昇は、電子／電気機器５に用いられている半導体の動作特性に影響を与え、ひいては電子／電気機器５自体の動作にも影響を与える。
【００１８】
そこで、本実施の形態の屋外筐体１-１における筐体本体２内の収容室には、電子／電気機器５に加えて、この電子／電気機器５の周囲温度の上昇の抑制や電子／電気機器５を冷却するための冷却手段を構成する燃料電池ボックス７が収容されている。
【００１９】
燃料電池ボックス７は、筐体本体２内の収容室において、電子／電気機器５に対して高さ方向上方側の収容室内に配置されている。
【００２０】
ここで、この燃料電池ボックス７の詳細な構成について、図４，図５，図６により説明する。
【００２１】
図４は、本実施の形態の屋外筐体に適用される燃料電池ボックスの構成説明図である。図５は、図４に示した燃料電池ボックスに設けられた排出水分配器の正面図で、図６は、図５に示した排出水分配器の平面図である。
【００２２】
本実施の形態の場合は、燃料電池ボックス７は、前述した直方体形状の筐体本体２内に形成された収容室の水平断面（横断面）形状に合わせ、収容室内の上方部分に内装されるように直方体のボックス形状に構成されている。そして、燃料電池ボックス７の底部側の周面には、燃料電池ボックス７の内・外を連通する排出通路７１の外部開口７１ａがその周面周りに適宜間隔を置いて設けられている。燃料電池ボックス７内の底面側には、図５及び図６に示すような構成の排水分配器７２が設けられている。
【００２３】
排水分配器７２は、図６に示すように、平面方向から眺めて、その周縁端部が燃料電池ボックス７の内周壁に対して液密に内接するような矩形形状に形成され、図５に示すように、正面並びに側面方向から眺めて、その中央部分が周縁部に対して突出した傾斜面を有する加工パネルによって構成されている。さらに、その傾斜面部分には、それぞれ周縁側の端部が前述した排出通路７１の内部開口（図示省略）と適合するように、中央部分から放射状に延びる溝７３が複数形成されている。また、各溝７３間の傾斜面部分の表面断面形状は円弧状のテーパ面形状になっており、排水分配器７２の中央部分から溝７３間に流れ出してきた水を、両側の溝７３部分に集めることができる構成になっている。
【００２４】
また、排水分配器７２の中央部には取付部７４が形成され、この取付部７４には、所定量の液体を貯留できる円筒状の排水貯蓄槽７５に一体的に設けられた排出制御弁７６が取り付けられようになっている。これにより、排出制御弁７６と一体の排水貯蓄槽７５は、燃料電池ボックス７内で、その流出口を排出制御弁７６の流入口に連通させた状態で排水分配器７２に対して立設支持される構成になっている。排出制御弁７６は、排水貯蓄槽７５とともに排水分配器７２に対して立設支持された状態で、その流出口が排水分配器７２の傾斜面に対して開放され、その連通／遮断及び弁開度によって排水貯蓄槽７５に貯留された水が排水分配器７２側に流出するのを流量制御する。そして、排水貯蓄槽７５は、燃料電池ボックス７内に同じく設けられた燃料電池本体７７の排出水出口と連通され、その駆動（発電）で生じた水を貯留するようになっている。
【００２５】
このように構成された燃料電池ボックス７おいては、その冷却水生成手段としての燃料電池本体７７、及び冷却機構を構成する排出制御弁７６は、電子／電気機器５側の一部として設けられた発電・冷却制御手段７８によって制御駆動される。また、燃料電池本体７７の電源出力は、図示せぬ配線を介して、電子／電気機器５側の一部として同様に設けられた電源回路の蓄電回路に接続され、その電源出力を常用電源の一部，又は予備電源若しくは非常用電源と活用できるようになっている。また、燃料電池本体７７の実施例としては、アルカリ型，固体高分子型，固体電解質型等といった種々の形式が利用可能であり、その形式は限定されるものではない。
【００２６】
このように構成された冷却手段としての燃料電池ボックス７は、外部に対する又は外部からの熱影響を軽減するため、断熱材８によって覆われて、屋外筐体１-１における収容室内の上方部分に内装されている。
【００２７】
これに対し、内部の収容室に、電子／電気機器５が収容され、その上方に上述した燃料電池ボックス７が収容された筐体本体２には、図１，図２に示すように、筐体本体２内の収容室と筐体本体２外部とを連通する複数の排出通路９の外部開口９ａが形成されている。
【００２８】
図７は、本実施の形態の屋外筐体において保護パネルを外した状態の側面図である。
【００２９】
本実施の形態の場合、各排出通路９の外部開口９ａの高さ位置は、図７に示したように、収容室内に収容された電子／電気機器５の高さ位置よりも高い高さ位置になっている。
【００３０】
各排出通路９の図示せぬ収容室側の内部開口は、前述した燃料電池ボックス７の排出通路７１の外部開口７１ａ（図４参照）に対応位置させて、筐体本体２の周面周りに適宜間隔を置いて設けられている。そして、各排出通路９の図示せぬ内部開口は、それぞれ対応位置する燃料電池ボックス７の排出通路７１の外部開口７１ａに、液密に直接、又は接続配管等を介して間接的に接続されている。その際、排出通路７１及び排出通路９は、それぞれの内部開口高さ位置に対してそれぞれの外部開口高さ位置が低くなっている傾斜通路になっており、さらに排出通路７１の外部開口高さ位置と排出通路９の内部開口高さ位置との関係も、同じ高さ位置か、排出通路９の内部開口高さ位置が排出通路７１の外部開口高さ位置よりも下方になっており、わずかな水量であっても排出水の流出を妨げない構成になっている。
【００３１】
さらに、図１〜図３及び図７に示すように、屋外筐体１-１の筐体本体２の表面（周面３）には、少なくとも上記排出通路９の外部開口９ａの下方側縁部に接するようにして、外部開口９ａよりも高さ位置が低い表面側、すなわち電子／電気機器５が収容されている高さ部分の周面３部分を被覆するように、光触媒１０が塗布されている。そして、この光触媒１０は、その超親水性効果により、上記排出通路９の外部開口９ａから排出される水の水滴が筐体本体２の表面になじみ、水滴にならずに広範囲に拡がって、液滴の筐体本体２の表面に接触する際の接触角が０°に近くなり、筐体本体２の表面に水の薄い膜を作ることができるようになっている。
【００３２】
そのため、外部開口９ａからの排出水は、少ない水の量でも屋外筐体１-１の筐体本体２の光触媒１０の塗布面全域、すなわち電子／電気機器５が収容されている部分の筐体本体２の表面全域に行き渡ることができ、直接的に、又はその気化によって筐体本体２を冷却する構成になっている。
【００３３】
また、図１において破線で示すように、本実施の形態の場合は、筐体本体２内の収容室の電子／電気機器５が配置された側の部分には、電子／電気機器５が配置された部分若しくはその近傍部分の雰囲気温度を検出するための温度センサ１１が設けられている。なお、本実施の形態では、説明簡便のため温度センサ１１を電子／電気機器５の発熱を検出しやすいように筐体本体２内の収容室内に設けたが、温度センサ１１の設置場所や設置数は、図示した構成に限るものではない。例えば、周囲温度（外気温等）や太陽の輻射熱を検出しやすいように、筐体本体２の周面や平面（天面）や、保護板４に設けてもよく、また、このような複数箇所にそれぞれ設けてもよい。温度センサ１１の検出出力は、前述した発電・冷却制御手段７８に制御入力されている。
【００３４】
次に、上述した構成の第１の実施の形態の屋外筐体１-１における作用について説明する。
【００３５】
周囲温度（外気温等）や太陽の輻射熱、又は電子／電気機器５の発熱等の原因によって、電子／電気機器５が配置された筐体本体２内の収容室の温度が上昇した場合を考える。
【００３６】
本実施の形態の場合、電子／電気機器５側の一部として設けられた発電・冷却制御手段７８は、随時、温度センサ１１の検出出力を監視している。発電・冷却制御手段７８は、温度センサ１１の検出出力が予め設定されている所定値を超えると、燃料電池ボックス７の排出制御弁７６を開弁し、燃料電池本体７７によって生成され、排水貯蓄槽７５に冷却水として貯留されている水を、排水分配器７２に流出させる。排水分配器７２に流出した水は、分流されて燃料電池ボックス７に形成された各排出水通路７１、及び筐体本体２に形成された対応する排出通路９を順次介して、外部開口９ａそれぞれから一様に筐体本体２の周面３（この場合は、正面パネル３ｆ，背面パネル３ｂ，左側面パネル３ｌ，又は右側面パネル３ｒのそれぞれが該当）に漏出する。この筐体本体２の周面３に漏出した水により、電子／電気機器５が配置された部分の筐体本体２が冷却され、収容室内の雰囲気も冷却される。
【００３７】
さらに、本実施の形態の場合には、外部開口９ａそれぞれから漏出した水は、筐体本体２の周面３に塗布されている光触媒１０の超親水性効果により、筐体本体２の周面３になじみ、水滴にならずに周面３の広範囲に拡がって、液滴の接触角が０°に近くなり、薄い膜を作ることができるので、少ない水で効率良く筐体冷却効果が行える。
【００３８】
なお、燃料電池本体７７の発電駆動も、本実施の形態の場合は、発電・冷却制御手段７８が制御する構成になっている。
【００３９】
その制御構成の例としては、例えば、燃料電池本体７７を予備又は非常用電源として活用している場合は、定期的に所定時間だけ発電駆動し、その駆動を停止した時点で排水貯蓄槽７５に所定量以上の排出水が貯留されるように発電駆動する方式や、排出制御弁７６の開弁駆動と連動させて、その開弁時間や弁開度に応じて予め定められている時間だけ、随時発電駆動する方式や、排水貯蓄槽７５に液面センサを設けて排水貯蓄槽７５に常時所定液位（所定液量）の排出水が貯留しているように発電駆動する方式法、等がある。
【００４０】
このように、本実施の形態の屋外筐体１-１によれば、冷却手段として使用する燃料電池ボックス７を、常用電源若しくはその一部、又は予備若しくは非常用電源として活用できるため、従来の屋外筐体に備えられていた外部供給電源以外の電源設備機器（例えば、非常用エンジン発電機や大型蓄電器等）の小型化をはかることができ、冷却手段の冷却水生成手段を構成する燃料電池を筐体内に設けることによる屋外筐体の大型化を、これら外部供給電源以外の電源設備機器の小型化によって相殺することもできるため、屋外筐体の冷却手段による余計な大型化を極力抑制することができる。
【００４１】
また、そのメンテナンスも、燃料電池本体７７のメタノールや天然ガス等といった燃料を図示せぬ燃料補給口から補給するだけですむので、容易である。
【００４２】
さらに、燃料電池本体７７の燃料として都市ガス等を利用するようにした場合は、燃料電池本体７７を常用電源又はその一部としても活用できるばかりか、燃料の供給も都市ガス等を改質した水素ガスを利用して賄うようにすれば、燃料の補給自体も自動的に行うことができるので、メンテナンス・フリーになる。
【００４３】
＜第２の実施の形態＞
図８は、本発明の第２の実施の形態による屋外筐体の正面図である。また、図９は、図８に示した屋外筐体の平面図である。
【００４４】
本実施の形態は、電子／電気機器５の常用電源又はその一部として利用可能な太陽電池パネル１２をさらに備えた屋外筐体１-２である。
【００４５】
なお、本実施の形態の屋外筐体１-２については、その筐体本体２及びその内部の構成については、前述した第１の実施の形態の屋外筐体１-１の構成と同一なので、その詳細な説明は省略する。
【００４６】
本実施の形態の屋外筐体１-２は、図８及び図９に示すように、筐体本体２の周面３（３ｆ，３ｂ，３ｌ，３ｒ）及び平面（天面パネル３ｔ）を囲繞するように、適宜間隔を空けて離間配置された透光性を有する保護板４（４ｆ，４ｂ，４ｌ，４ｒ，４ｔ）に、太陽電池パネル１２が設けられていることを特徴とする。
【００４７】
この場合、光触媒１０が塗布された筐体本体２の周面３（３ｆ，３ｂ，３ｌ，３ｒ）を囲繞するように設けられた保護板４ｆ，４ｂ，４ｌ，４ｒには、光触媒１０が超親水性効果を妨げないように、太陽電池パネル１２が隙間を空けて、光触媒１０に太陽光が照射可能されるように網目状構造に配置されている。なお、図示の場合では、矩形状の太陽電池パネル１２は、光触媒１０は、保護板４ｆ，４ｂ，４ｌ，４ｒに網目状構造に配置したが、太陽電池パネル１２の形状及び配置方法はこれに限るものではなく、光触媒１０に太陽光が照射可能な構成であるならば、例えば円形状の太陽電池パネルを、保護板４ｆ，４ｂ，４ｌ，４ｒの面上に、千鳥状や斜線上に配列して設けてもよい。
【００４８】
なお、本実施の形態では、太陽電池パネル１２は、筐体本体２の天面用の保護板４ｔにも配置されているが、その配置の仕方は、本実施の形態では、燃料電池ボックス７内には揚水手段を備えず、筐体本体２の平面３ｔ部分には、排出通路９の外部開口９ａが設けられておらず、光触媒１０も塗布されていないため、図９に示すように互いに隣接した密集状態で配置され、太陽電池パネル１２による発電能力が増大できる構成になっている。
【００４９】
このように構成された屋外筐体１-２によれば、前述した第１の実施の形態による屋外筐体１-１の場合と同様な効果を奏するとともに、冷却手段としての燃料電池ボックス７内に設けられた燃料電池本体７７（図４参照）を常用電源又はその一部として利用する場合であっても、昼夜で太陽電池パネル１２による発電電力と燃料電池本体７７による発電電力とを使い分けることができ、電子／電気機器５に対する効率的な電源供給が行える。また、停電により電力給電が停止されても、太陽電池パネル１２および燃料電池本体７７による蓄電電力による給電が電子／電気機器５に対して行えるので機器停止を防ぐことができる。
【００５０】
また、燃料電池本体７７の燃料として都市ガスを改質した水素ガスを利用してメンテナンス・フリーにし、かつ燃料電池本体７７を常用電源又はその一部として用いる場合にあっては、太陽電池パネル１２による電力を都市ガス供給遮断時の予備又は非常用電源として利用することもできる。
【００５１】
＜第３の実施の形態＞
図１０は、本発明の第３の実施の形態による屋外筐体の正面図である。
【００５２】
本実施の形態は、屋外筐体１-３の筐体本体２を、電子／電気機器５が内部に収容された下部本体２ｄと、燃料電池ボックスが内部に収容された上部本体２ｕとに分割構成し、下部本体２ｄの平面（上面）に、脚部１３を介して上部本体２ｕを離間させて取り付けた構成からなることを特徴とする。
【００５３】
また、これに伴い、保護板４も、下部本体２ｄに固定された下部保護板４ｄ（図中では、下部正面保護板４ｄｆ，下部左側面保護板４ｄｌ，下部右側面保護板４ｄｒが表れている）と、上部本体２ｕに固定された下部保護板４ｕ（図中では、上部正面保護板４ｕｆ，上部左側面保護板４ｕｌ，上部右側面保護板４ｕｒが表れている）とに分割されている。
【００５４】
そして、下部本体２ｄの周面３ｄａ及び上面３ｄｕには、これら面を被覆するように、光触媒１０が塗布されている。また、脚部１３には、上部本体２ｕ内に収容された図示せぬ燃料電池ボックス７の燃料電池本体７７（図４参照）の発電により生成された水を、下部本体２ｄに導くための通路１４とその開口１４ａが設けられている。その上で、太陽電池パネル１２は、上部保護板４ｕ及び天面用の保護板４ｔに設けられ、下部保護板４ｄには設けられていない構成になっている。なお、上述した構成以外の部分については、前述した第１，第２の屋外筐体１-１，１-２における構成と同様であるので、その構成の説明は省略する。
【００５５】
本実施の形態の屋外筐体１-３によれば、電子／電気機器５が内部に収容された下部本体２ｄと、燃料電池ボックスが内部に収容され、太陽電池パネル１２が設けられた上部本体２ｕとに分割構成されているので、燃料電池ボックスと電子／電気機器５との熱的絶縁を良好にはかることができる。また、既存の屋外筐体の周面及び天面に光触媒１０を塗布し、燃料電池ボックス及び太陽電池パネル１２を備えた上部本体２ｕをその上に載置固定するだけで、既存の屋外筐体を前述した第２の実施の形態による屋外筐体１-２として利用することもできる。
【００５６】
本発明は、以上説明したとおりであるが、その実施の形態は上述した屋外筐体１-１，１-２，１-３の具体的構成に限られるものではなく、種々の変形例が可能である。例えば、屋外筐体の筐体本体は、直方体形状に限られるものではない。また、筐体本体内の収容室には、電子／電気機器５を下方に、燃料電池ボックス７を上方に配置したが、揚水手段を備える等することにより、逆の配置も可能である。
【図面の簡単な説明】
【００５７】
【図１】本発明の第１の実施の形態による屋外筐体の正面図である。
【図２】図１に示した屋外筐体の側面図である。
【図３】図１及び図２に示した屋外筐体の平面図である。
【図４】本実施の形態の屋外筐体に適用される燃料電池ボックスの構成説明図である。
【図５】図４に示した燃料電池ボックスに設けられた排出水分配器の正面図である。
【図６】図５に示した排出水分配器の平面図である。
【図７】本実施の形態の屋外筐体において保護パネルを外した状態の側面図である。
【図８】本発明の第２の実施の形態による屋外筐体の正面図である。
【図９】図８に示した屋外筐体の平面図である。
【図１０】本発明の第３の実施の形態による屋外筐体の正面図である。
【符号の説明】
【００５８】
１-１  屋外筐体
２  筐体本体
３  周面
４  保護板
５  電子／電気機器
６  脚部
７  燃料電池ボックス
８  断熱材
９  排出通路
１０  光触媒
１１  温度センサ
１２  太陽電池パネル
１３  脚部
１４  通路
７１  排出水通路
７２  排水分配器
７３  溝
７４  槽取付部
７５  排水貯蓄槽
７６  排出制御弁
７７  燃料電池本体
７８  発電・冷却制御手段
【図１】
2006317093.tif 000003
【図２】
2006317093.tif 000004
【図３】
2006317093.tif 000005
【図４】
2006317093.tif 000006
【図５】
2006317093.tif 000007
【図６】
2006317093.tif 000008
【図７】
2006317093.tif 000009
【図８】
2006317093.tif 000010
【図９】
2006317093.tif 000011
【図１０】
2006317093.tif 000012